(57)【特許請求の範囲】
【請求項１】
移動端末のデスクトップシステムであって、
前記デスクトップシステムは、コンテンツ層と背景層とを含み、
前記背景層は、前記背景層に対応するコンテンツ層の下方に位置し、シーンを具現してデスクトップ背景とし、複数のスライド背景層が含まれ、前記スライド背景層は、遠景背景層と近景背景層を含み、且つ、前記遠景背景層の幅は前記近景背景層の幅よりも小さく、
前記コンテンツ層は、前記コンテンツ層に対応する背景層の上方に位置し、前記コンテンツ層には、ユーザとインタラクションするためのユニットが配置され、前記ユニットに対応するアイコンの予め設定された頂点は前記コンテンツ層の予め設定された位置に設置され、且つ前記コンテンツ層の予め設定された位置と前記背景層の具現するシーンの予め設定された位置とが対応されて、前記アイコンと前記背景層の具現するシーンとがマッチングするようにし、
前記コンテンツ層、前記遠景背景層、及び前記近景背景層は、スライドコマンドの指示する方向に沿ってスライドし、前記近景背景層のスライド長さは、前記コンテンツ層のスライド長さと同じであるとともに、前記遠景背景層のスライド長さより大きく、また、前記遠景背景層のスライド長さがゼロより大きいことを特徴とする移動端末のデスクトップシステム。
【請求項２】
前記各スライド背景層の幅は、前記各スライド背景層の位置するレイヤに対応することを特徴とする請求項１に記載の移動端末のデスクトップシステム。
【請求項３】
前記背景層は、
デスクトップ背景として用いられ、且つ前記移動端末がスライドコマンドを検出したときスライド操作を行わない静的背景層をさらに含むことを特徴とする請求項１または請求項２に記載の移動端末のデスクトップシステム。
【請求項４】
移動端末のインタフェースインタラクション方法であって、
コンテンツ層と背景層を表示するステップと、
前記移動端末のスクリーンで発生したタッチイベントを検出し、前記タッチイベントに対応する操作コマンドを判断するステップと、
前記操作コマンドに基づいて、前記操作コマンドに対応する操作を実行するステップと、
を含み、
前記背景層は、前記背景層に対応するコンテンツ層の下方に位置し、シーンを具現してデスクトップ背景とし、複数のスライド背景層が含まれ、前記スライド背景層は、遠景背景層と近景背景層を含み、且つ、前記遠景背景層の幅は前記近景背景層の幅よりも小さく、
前記コンテンツ層は、前記コンテンツ層に対応する背景層の上方に位置し、前記コンテンツ層には、ユーザとインタラクションするためのユニットが配置され、前記ユニットに対応するアイコンの予め設定された頂点は前記コンテンツ層の予め設定された位置に設置され、且つ前記コンテンツ層の予め設定された位置と前記背景層の具現するシーンの予め設定された位置とが対応されて、前記アイコンと前記背景層の具現するシーンとがマッチングするようにし、
前記操作コマンドはスライドコマンドを含み、
前記操作の実行は、前記コンテンツ層、前記遠景背景層、及び前記近景背景層が、スライドコマンドの指示する方向に沿ってスライドすることを含み、前記近景背景層のスライド長さは、前記コンテンツ層のスライド長さと同じであるとともに、前記遠景背景層のスライド長さより大きく、また、前記遠景背景層のスライド長さがゼロより大きいことを特徴とする移動端末のインタフェースインタラクション方法。
【請求項５】
前記方法は、コンテンツ層と背景層を表示するステップの前に、
ユーザによって編集されたイメージを取得して背景層とするステップと、
ユーザとインタラクションするためのユニットに対応するアイコン、ユーザによって設定された前記アイコンの予め設定された頂点の前記コンテンツ層における位置、及び前記アイコンに対応する起動属性を取得して、コンテンツ層を取得するステップと、
予め設定されたフォーマットによって、前記背景層と前記コンテンツ層を第１のファイルとして保存するステップと、
をさらに含み、
前記起動属性は、前記アイコンに対応するユニットの名称、或いは起動経路を含むことを特徴とする請求項４に記載の移動端末のインタフェースインタラクション方法。
【請求項６】
前記背景層が複数のスライド背景層を含む場合、ユーザによって編集されたイメージを取得して前記背景層とするステップは、
ユーザによって編集され、少なくとも二つのレイヤを有するイメージ、及び前記ユーザにより設定された前記イメージのレイヤと前記スライド背景層のレイヤとの対応関係を取得して、前記背景層とするステップを含むことを特徴とする請求項５に記載の移動端末のインタフェースインタラクション方法。
【請求項７】
前記方法は、コンテンツ層と背景層を表示するステップの前に、
前記第１のファイルを取得するステップをさらに含むことを特徴とする請求項５に記載の移動端末のインタフェースインタラクション方法。
【請求項８】
コンテンツ層と背景層を表示するステップは、
前記予め設定されたフォーマットによって前記第１のファイルを解釈して、前記コンテンツ層と背景層を取得し、前記コンテンツ層と背景層を表示するステップを含むことを特徴とする請求項７に記載の移動端末のインタフェースインタラクション方法。
【請求項９】
前記方法は、コンテンツ層と背景層を表示するステップの後に、
ユーザからの前記ユニットに対する編集コマンドを検出すると、前記移動端末のスクリーンの予め設定された位置に候補ユニットを表示するステップと、
前記ユーザにより前記候補ユニットが選択されると、前記候補ユニットを前記コンテンツ層における前記ユニットに対応する位置に設置するステップと、
をさらに含むことを特徴とする請求項４に記載の移動端末のインタフェースインタラクション方法。
【請求項１０】
移動端末のインタフェースインタラクション装置であって、
コンテンツ層と背景層を表示する表示モジュールと、
前記移動端末のスクリーンで発生したタッチイベントを検出し、前記タッチイベントに対応する操作コマンドを判断するコマンド取得モジュールと、
前記操作コマンドに基づいて、前記操作コマンドに対応する操作を実行する実行モジュールと、
を含み、
前記背景層は、前記背景層に対応するコンテンツ層の下方に位置し、シーンを具現してデスクトップ背景とし、複数のスライド背景層が含まれ、前記スライド背景層は、遠景背景層と近景背景層を含み、且つ、前記遠景背景層の幅は前記近景背景層の幅よりも小さく、
前記コンテンツ層は、前記コンテンツ層に対応する背景層の上方に位置し、前記コンテンツ層には、ユーザとインタラクションするためのユニットが配置され、前記ユニットに対応するアイコンの予め設定された頂点は前記コンテンツ層の予め設定された位置に設置され、且つ前記コンテンツ層の予め設定された位置と前記背景層の具現するシーンの予め設定された位置とが対応されて、前記アイコンと前記背景層の具現するシーンとがマッチングするようにし、
前記コンテンツ層、前記遠景背景層、及び前記近景背景層は、スライドコマンドの指示する方向に沿ってスライドし、前記近景背景層のスライド長さは、前記コンテンツ層のスライド長さと同じであるとともに、前記遠景背景層のスライド長さより大きく、また、前記遠景背景層のスライド長さがゼロより大きいことを特徴とする移動端末のインタフェースインタラクション装置。
【請求項１１】
前記装置は、
前記表示モジュールによりコンテンツ層と背景層が表示される前に、ユーザによって編集されたイメージを取得して前記背景層とする背景層編集モジュールと、
ユーザとインタラクションするためのユニットに対応するアイコン、前記ユーザによって設定された前記アイコンの予め設定された頂点の前記コンテンツ層における位置、及び前記アイコンに対応する起動属性を取得して、前記コンテンツ層を取得するコンテンツ層編集モジュールと、
予め設定されたフォーマットによって、前記背景層と前記コンテンツ層を第１のファイルとして保存する保存モジュールと、
をさらに含み、
前記起動属性は、前記アイコンに対応するユニットの名称、或いは起動経路を含むことを特徴とする請求項１０に記載の移動端末のインタフェースインタラクション装置。
【請求項１２】
前記背景層が複数のスライド背景層を含む場合、前記背景層編集モジュールは、表示モジュールによってコンテンツ層と背景層が表示される前に、ユーザによって編集され、少なくとも二つのレイヤを有するイメージ、及び前記ユーザにより設定された前記イメージのレイヤと前記スライド背景層のレイヤとの対応関係を取得して、前記背景層とすることを特徴とする請求項１１に記載の移動端末のインタフェースインタラクション装置。
【請求項１３】
前記装置は、前記表示モジュールによってコンテンツ層と背景層が表示される前に、前記第１のファイルを取得する取得モジュールをさらに含むことを特徴とする請求項１１に記載の移動端末のインタフェースインタラクション装置。
【請求項１４】
前記表示モジュールは、
前記予め設定されたフォーマットによって前記第１のファイルを解釈して、前記コンテンツ層と背景層を取得する解釈手段と、
前記コンテンツ層と背景層を表示する表示手段と、
を含むことを特徴とする請求項１３に記載の移動端末のインタフェースインタラクション装置。
【請求項１５】
前記装置は、
前記表示モジュールによってコンテンツ層と背景層が表示された後、ユーザからの前記ユニットに対する編集コマンドを検出すると、前記移動端末のスクリーンの予め設定された位置に候補ユニットを表示する検出モジュールと、
前記ユーザにより前記候補ユニットが選択されると、前記候補ユニットを前記コンテンツ層における前記ユニットに対応する位置に設置する編集モジュールと、
をさらに含むことを特徴とする請求項１０に記載の移動端末のインタフェースインタラクション装置。
【請求項１６】
プロセッサに実行されることにより、請求項４から請求項９のいずれかに記載の移動端末のインタフェースインタラクション方法を実現することを特徴とするプログラム。
【請求項１７】
請求項１６に記載のプログラムが記録された記録媒体。
【発明の詳細な説明】
【技術分野】
【０００１】
本発明は、通信技術分野に関し、特に、移動端末のデスクトップシステム、インタフェースインタラクション方法、装置、プログラム、及び記録媒体に関する。
【背景技術】
【０００２】
モバイルインターネット時代において、移動端末が普及され、使用者にもっと便利なサービスを提供するために、移動端末におけるインタラクションインタフェースももっと個別化されている。
【０００３】
特に、デスクトップは、移動端末がオンされた後で表示されるスクリーンのホームエリアとしてユーザとのインタラクションインタフェースを提供している。デスクトップは、通常、ユーザが設定した壁紙（デスクトップの背景）を含み、ユーザとインタラクションするためのユニット、例えばショートカットを配置し、これらのショートカットには、システムによって設定されＡＰＰ（Ａｐｐｌｉｃａｔｉｏｎ，アプリケーション）に対応するショートカット、及びユーザの定義したショートカットが含まれ得る。現段階において、図１に示すように、ショートカットは、９個、１２個又は１６個の枠を格子状にした形で、デスクトップに配列される。
【０００４】
既存のデスクトップは、ショートカットの配列に複数の枠を提供し、且つ、枠の位置とサイズは固定されたものであって、ショートカットは枠にしか配列できないため、設計者がインタフェースをデザインする時、ショートカットのアイコンを固定サイズに設計して枠に対応する位置に配列するしかできない。ユーザのショートカットに対する配列も前記枠に限られているため、移動端末のインタフェースの設計者のデスクトップインタフェースに対する設計権限が低くてデスクトップインタフェースのパターンが味気なく、単調で、使用体験が落ちる。
【発明の概要】
【発明が解決しようとする課題】
【０００５】
本発明の実施例は、移動端末のインタフェースの様式が多様で、設計者のデザイン権限を増やし、ユーザ体験を向上できる移動端末のデスクトップシステム、インタフェースインタラクション方法、装置、プログラム、及び記録媒体を提供する。
【課題を解決するための手段】
【０００６】
本発明に係る移動端末のデスクトップシステムにおいて、
前記デスクトップシステムは、コンテンツ層と背景層とを含み、
前記背景層は、前記背景層に対応するコンテンツ層の下方に位置し、シーンを具現してデスクトップ背景とし、
前記コンテンツ層は、前記コンテンツ層に対応する背景層の上方に位置し、前記コンテンツ層には、ユーザとインタラクションするためのユニットが配置され、前記ユニットに対応するアイコンの予め設定された頂点は前記コンテンツ層の予め設定された位置に設置され、且つ前記コンテンツ層の予め設定された位置と前記背景層の具現するシーンの予め設定された位置とが対応されて、前記アイコンと前記背景層の具現するシーンとがマッチングするようにする。
【０００７】
本発明に係る移動端末のインタフェースインタラクション方法において、
前記方法は、
コンテンツ層と背景層を表示するステップと、
前記移動端末のスクリーンで発生したタッチイベントを検出し、前記タッチイベントに対応する操作コマンドを判断するステップと、
前記操作コマンドに基づいて、前記操作コマンドに対応する操作を実行するステップと、
を含み、
前記背景層は、前記背景層に対応するコンテンツ層の下方に位置し、シーンを具現してデスクトップ背景とし、
前記コンテンツ層は、前記コンテンツ層に対応する背景層の上方に位置し、前記コンテンツ層には、ユーザとインタラクションするためのユニットが配置され、前記ユニットに対応するアイコンの予め設定された頂点は前記コンテンツ層の予め設定された位置に設置され、且つ前記コンテンツ層の予め設定された位置と前記背景層の具現するシーンの予め設定された位置とが対応されて、前記アイコンと前記背景層の具現するシーンとがマッチングするようにする。
【０００８】
本発明に係る移動端末のインタフェースインタラクション装置において、
前記装置は、
コンテンツ層と背景層を表示する表示モジュールと、
前記移動端末のスクリーンで発生したタッチイベントを検出し、前記タッチイベントに対応する操作コマンドを判断するコマンド取得モジュールと、
前記操作コマンドに基づいて、前記操作コマンドに対応する操作を実行する実行モジュールと、
を含み、
前記背景層は、前記背景層に対応するコンテンツ層の下方に位置し、シーンを具現してデスクトップ背景とし、
前記コンテンツ層は、前記コンテンツ層に対応する背景層の上方に位置し、前記コンテンツ層には、ユーザとインタラクションするためのユニットが配置され、前記ユニットに対応するアイコンの予め設定された頂点は前記コンテンツ層の予め設定された位置に設置され、且つ前記コンテンツ層の予め設定された位置と前記背景層の具現するシーンの予め設定された位置とが対応されて、前記アイコンと前記背景層の具現するシーンとがマッチングするようにする。
【０００９】
本発明に係るプログラムにおいて、当該プログラムは、プロセッサに実行されることにより、上記移動端末のインタフェースインタラクション方法を実現する。
【００１０】
本発明に係る記録媒体において、当該記録媒体には、上記プログラムが記録されている。
【発明の効果】
【００１１】
本発明の実施例は、以下のような有益な効果を有する。
本発明の実施例に係る移動端末のデスクトップシステム、インタフェースインタラクション方法、及び装置によると、本発明に係るデスクトップシステムは、コンテンツ層と背景層を含み、設計者は、ユニットの形を限定する必要がなく、コンテンツ層におけるユニットに対応するアイコンの予め設定された頂点をコンテンツ層の予め設定された位置に設置すればよいので、設計者にもっと大きいデザインの権限を付与する。ユニットのコンテンツ層における予め設定された位置とスライド背景層が具現するシーンの予め設定された位置とが対応するようにすることで、設計者がユニットのアイコンと背景層の具現するシーンとをマッチングさせて、リアル的なシーンの視覚的効果を招来し、デスクトップインタフェースの様式を多様化し、美観を向上させ、ユーザの使用体験を向上させる。
【図面の簡単な説明】
【００１２】
本発明の実施例をより明瞭に説明するために、以下、既存技術或は実施例に対する説明に必要な図面について簡単に説明する。以下の図面は、ただ本発明の一部の実施例であり、これらの図面により他の図面を取得できることは、当業者にとって自明なことである。
【００１３】
【図１】図１は、本発明の背景技術で提供する従来のデスクトップのインタフェース模式図である。
【図２】図２は、本発明の実施例に係るデスクトップシステムの構成模式図である。
【図３】図３は、本発明の実施例に係る背景層の構成模式図である。
【図４】図４は、本発明の実施例に係るデスクトップシステムのインタフェース表示模式図である。
【図５】図５は、本発明の実施例に係るデスクトップシステムの近景背景層の構成模式図である。
【図６】図６は、本発明の実施例に係るデスクトップシステムの遠景背景層の構成模式図である。
【図７】図７は、本発明の実施例に係るデスクトップシステムにおけるコンテンツ層の構成模式図である。
【図８】図８は、本発明の実施例に係るデスクトップシステムにおけるアイコンの位置設置模式図である。
【図９】図９は、本発明の実施例に係るユーザがスライドコマンドを送信する時のデスクトップインタフェースのスライド模式図である。
【図１０】図１０は、本発明の実施例に係る移動端末のインタフェースインタラクション方法のフローチャートである。
【図１１】図１１は、本発明の実施例に係るコンテンツ層と背景層について編集を行う過程のフローチャートである。
【図１２】図１２は、本発明の実施例に係る第２の背景層の模式図である。
【図１３】図１３は、本発明の実施例に係る第２のデスクトップシーンの模式図である。
【図１４】図１４は、本発明の実施例に係る予め設定された操作イベントの操作模式図である。
【図１５】図１５は、本発明の実施例に係る移動端末のインタフェースインタラクション装置の構成模式図である。
【図１６】図１６は、本発明の実施例に係る移動端末のインタフェースインタラクション装置の第２の構成模式図である。
【図１７】図１７は、本発明の実施例に係る移動端末のインタフェースインタラクション装置の第３の構成模式図である。
【図１８】図１８は、本発明の実施例に係る移動端末のインタフェースインタラクション装置における表示モジュールの構成模式図である。
【図１９】図１９は、本発明の実施例に係る移動端末のインタフェースインタラクション装置の第４の構成模式図である。
【発明を実施するための形態】
【００１４】
以下に、図面を参照しながら本発明の実施例に係る移動端末のデスクトップシステム、デスクトップインタラクション方法、及び装置の具体的な実施形態について、詳細に説明する。
【００１５】
ここで説明すべきなことは、本実施例において、移動端末として携帯電話を例として説明するが、本発明の移動端末は携帯電話に限らなく、タブレットＰＣ、ＭＰ４などの表示スクリーンを持つ設備も含む。
【００１６】
まず、本発明の実施例に係る移動端末のデスクトップシステムは、背景層とコンテンツ層で構成されている。
ここで、背景層は、当該背景層に対応するコンテンツ層の下方に位置し、シーンを具現してデスクトップ背景にする。
コンテンツ層は、コンテンツ層に対応する背景層の上方に位置し、コンテンツ層には、ユーザとインタラクションするためのユニットが配置され、上記ユニットに対応するアイコンの予め設定された頂点はコンテンツ層の予め設定された位置に設定され、コンテンツ層の予め設定された位置と背景層の具現するシーンの予め設定された位置が対応されて、アイコンと背景層の具現するシーンとがマッチングするようにする。
【００１７】
説明すべきなことは、本発明に係るデスクトップシステムは、背景層とコンテンツ層の任意の組み合わせで構成され、且つ背景層は、スライド背景層と静的背景層とを含む。図２に示されるデスクトップシステムは、二つの背景層と二つのコンテンツ層との組み合わせで構成され、ここで、第１の背景層と第１のコンテンツ層とが対応し、第２の背景層と第２のコンテンツ層とが対応し、位置的に第１の背景層は第１のコンテンツ層の下方に位置し、第２の背景層は第２のコンテンツ層の上方に位置する。
【００１８】
具体的には、上記背景層は、静的イメージ、或いは動的イメージでシーンを具現してデスクトップ背景とする。即ち、デスクトップインタフェースの設計者は、静的イメージ、或いは動的イメージを背景層に設定してデスクトップ背景とする。
【００１９】
且つ、上記コンテンツ層に配置されるユニットには、ショートカット、ウィジェット（Ｗｉｄｇｅｔ）、スイッチなどがある。例えば、ＡＰＰのショートカット、時計、ＣＰＵ（Ｃｅｎｔｒａｌ Ｐｒｏｃｅｓｓｉｎｇ Ｕｎｉｔ，中央プロセッサ）使用率制御器等のウィジェット、ＷｉＦｉ（Ｗｉｒｅｌｅｓｓ−Ｆｉｄｅｌｉｔｙ，ワイファイ）インターネット、プロファイルスイッチ等を含む。
【００２０】
更に、上記背景層には、一つ或いは複数のスライド背景層が含まれる。
【００２１】
背景層に一つのスライド背景層が含まれる場合、移動端末がスライドコマンドを検出すると、上記スライド背景層とコンテンツ層はスライドコマンドの指示する方向に沿って予め設定された長さだけスライドし、コンテンツ層の予め設定された位置とスライド背景層の具現するシーンの予め設定された位置は対応関係を維持する。
【００２２】
背景層に複数のスライド背景層が含まれる場合、移動端末がスライドコマンドを検出すると、各スライド背景層は、当該スライドコマンドの指示する方向に沿って、当該スライド背景層のレイヤに対応する予め設定された長さだけスライドする。
【００２３】
上記静的背景層は、携帯電話がスライドコマンドを検出したとしてもスライド操作を行わない。
【００２４】
更に、本発明に係るデスクトップシステムのインタフェースをさらに多様化し、且つ背景層の具現するシーンが立体的な効果を与えるようにするために、上記デスクトップシステムは、少なくとも二つのスライド背景層で構成され、各スライド背景層は、それぞれデスクトップシーンの具現に必要な近景、遠景等に用いられ、各スライド背景層の幅は、当該スライド背景層の位置するレイヤと対応する。
【００２５】
具体的には、視覚効果の近くから遠くへ、或いは遠くから近くへの程度に基づいて、各スライド背景層の幅を予め設定された比率で増加、或いは減少させる。
【００２６】
好ましくは、移動端末がスライドコマンドを検出した場合、コンテンツ層が当該スライドコマンドの指示する方向に沿ってスライドする長さは、当該移動端末のスクリーンの幅と同じである。
【００２７】
更に、背景層に複数のスライド背景層が含まれる場合、上記複数のスライド背景層のうちコンテンツ層に配置されたアイコンの位置と対応関係を維持するスライド背景層は、当該コンテンツ層とスライド長さが同じである。
【００２８】
更に、背景層に複数のスライド背景層が含まれる場合、別のオプション方法として、移動端末がスライドコマンドを検出した時、各スライド背景層のスライド長さが設計者により予め設定されて、コンテンツ層と複数のスライド背景層がスライドする時に、複数のレイヤ間で立体的なスライド効果を発生し、もっとリアルなデスクトップシーンが取得できるようにする。
【００２９】
例えば、図３に示すように、デスクトップシステムは、三つのスライド背景層で構成され、それぞれスライド背景層Ａ、スライド背景層Ｂ、スライド背景層Ｃである。
【００３０】
ここで、スライド背景層を設計する際、各スライド背景層が５つのスクリーンをサポートできるようにする場合を例として説明する。即ち、各スライド背景層は、携帯電話のスクリーンの４回のスクロール操作をサポートできる。
【００３１】
図４に示す三つのスライド背景層において、スライド背景層Ａはスライド背景層Ｂの下方に位置し、スライド背景層Ｂはスライド背景層Ｃの下方に位置し、各スライド背景層の幅は互いに異なり、それぞれ９０、１００、１１０画素であり、これは、ユーザにスライド背景層Ａ、スライド背景層Ｂ、スライド背景層Ｃの自分との距離がますます遠くなる視覚的効果を招来する。
【００３２】
対応的に、背景層Ａ、背景層Ｂ、背景層Ｃすべてがスライド背景層である場合を例として説明する。ユーザがスクリーンをタッチしてスライドコマンドを発すると、移動端末のスクリーンは、上記スライドコマンドの方向に沿ってスクロール操作を行う。ここで、携帯電話のスクリーンの幅が２０画素である場合を例として説明すると、スクリーンが毎回スクロール操作を行う時、スライド背景層Ａ、スライド背景層Ｂ、スライド背景層Ｃのスライド長さは、それぞれ１５、１７．５、２０画素である。
【００３３】
具体的には、スライド背景層Ｃは、視覚的にユーザと一番近い層であるため、スライド背景層Ｃの幅が一番大きくて１００画素であり、スクリーンが毎回スクロール操作を行う時に、スライド背景層Ｃのスライド長さは、１００／５＝２０画素である。
【００３４】
スライド背景層Ｂは、視覚的にユーザと比較的近い層であるため、スライド背景層Ｂの幅は中位の９０画素であり、スクリーンが毎回スクロール操作を行う時に、スライド背景層Ｂのスライド長さは、（９０−２０）／（５−１）＝１７．５画素である。
【００３５】
スライド背景層Ａは、視覚的にユーザと一番遠い層であるため、スライド背景層Ａの幅は一番小さくて８０画素であり、スクリーンが毎回スクロール操作を行う時に、スライド背景層Ａのスライド長さは、（８０−２０）／（５−１）＝１５画素である。
【００３６】
上記改善によって、スライド背景層Ａとスライド背景層Ｂがスクリーンスクロール操作を行う時、スクリーンスクロール操作前と異なる長さのつながりがあり、視覚的に近くから遠くへの三次元の効果を与えることができる。
【００３７】
図１に示される従来のデスクトップシステムでは、ユニットのアイコンが固定的な四角形であって位置も固定され、デスクトップ背景と視覚的なつながりがないが、本発明に係るデスクトップシステムは、従来技術に対してもっと個性化である。
【００３８】
以下、一つの具体的なデスクトップシステムを例として説明する。
【００３９】
図４に示すように、依然として背景層とコンテンツ層を五つのスクリーンとしてデザインした場合を例として説明し、一つの具体的なデスクトップシステムのインタフェース表示の模式図を示し、当該デスクトップシステムは、二つのスライド背景層と一つのコンテンツ層で構成される。
【００４０】
ここで、スライド背景層は、遠景背景層と近景背景層を含み、近景背景層は、遠景背景層の上方に位置し、コンテンツ層は、近景背景層の上方に位置する。
【００４１】
図４に示す背景層とコンテンツ層はすべて五つのスクリーンの幅でデザインされ、図４における点線によって区画され、左から右の順で、それぞれ第１のスクリーン、第２のスクリーン、第３のスクリーン、第４のスクリーンと第５のスクリーンである。
【００４２】
具体的には、図５に示すように、近景背景層は、静的イメージで構成され、当該静的イメージは、左クロージェット２０１、右クロージェット２０２、壁２０３、窓２０４、及びテーブル２０５を含む。
【００４３】
ここで、窓２０４の可視的な視野部分（縦縞で示した領域）は、透明に設定されて、遠景背景層が具現するシーンを表示する。
【００４４】
遠景背景層は、静的イメージ、或いは動的イメージで構成できる。図６に示される縦縞図は、遠景レイヤ１０１を示し、具体的には、設計者によって、例えば芝生、海等のシーンイメージが選択できる。
【００４５】
本実施例の図４に示されるデスクトップシステムにおいて、第３のスクリーンと第４のスクリーンのみに窓２０４が表示でき、図６に示されたのはユーザが窓を通じて見れるシーン（即ち、近景背景層より遠いシーン）であるため、遠景背景層として用いられるイメージの幅は二つのスクリーンの幅より小さくて窓２０４の可視的な視野部分の幅より大きく設定すればよい。
【００４６】
図７に示すように、コンテンツ層は、ユーザとインタラクションするための複数のユニットで構成され、時計ウィジェット３０１、カメラショートカット３０２、ダイヤルショートカット３０３、カレンダーショートカット３０４、メモウィジェット３０５、フォトギャラリーショートカット３０６、ビデオカメラショートカット３０７、及びコンパスショートカット３０８を含む。
【００４７】
ここで、上記ユニットに対応するアイコンは、設計者が任意に設定できるものであり、その形状、位置は限定されず、アイコンの予め設定された頂点をコンテンツ層における予め設定された位置に設定すればよい。コンテンツ層において、ユニットに対応するアイコンにカバーされる領域以外の領域はすべて透明である。
【００４８】
例えば、図８に示すように、フォトギャラリーショートカット３０６を設定する場合、フォトギャラリーショートカット３０６の左上頂点の座標だけ設定してフォトギャラリーショートカット３０６の左上頂点の座標とコンテンツ層の予め設定された位置の座標が重ねるようにすればよい。
【００４９】
設計者によって背景層とコンテンツ層のデザインが完了して背景層とコンテンツ層を重ねると、デスクトップインタフェースが多様な立体的効果を発生することができる。図４に示すシーンにおいて、視覚的効果から見ると、時計ウェイジェット３０１は壁２０３に掛けてあり、電話機アイコンで示すダイヤルショートカット３０３はテーブル２０５の上に置かれ、人たちに非常にリアル的な効果を与える。
【００５０】
更に、背景層とユニットに対応するアイコンをデザインする時、フォトツールを利用して色、明るさ等の属性を編集することで、もっと個性化的な効果に達することができる。
【００５１】
以下、スクリーンスクロール操作を例として説明する。
【００５２】
現在、携帯電話のスクリーンが第４のスクリーンに止まっている場合を例とすると、図９に示すように、ユーザがスクリーンをタッチしてスクリーンを右にスライドさせるスライドコマンドを発した場合、遠景背景層、近景背景層とコンテンツ層はすべて右にスライドし、且つ、近景背景層とコンテンツ層のスライド長さが同じであり、遠景背景層が右にスライドする長さは、近景背景層とコンテンツ層のスライド長さより小さい。これによって、近くから遠くへの視覚的効果を与えることができる。
【００５３】
本発明に係る上記のデスクトップシステムに基づいて、本実施例は移動端末のデスクトップインタラクション方法をさらに提供し、図１０に示すように、以下のステップを含む。
【００５４】
Ｓ４０１：コンテンツ層と背景層を表示する。
【００５５】
ここで、上記各背景層は、各背景層に対応するコンテンツ層の下方に位置し、シーンを具現してデスクトップ背景とする。
上記コンテンツ層は、当該コンテンツ層に対応する背景層の上方に位置し、コンテンツ層にはユーザとインタラクションするためのユニットが配置され、当該ユニットに対応するアイコンの予め設定された頂点はコンテンツ層の予め設定された位置に設定され、コンテンツ層の予め設定された位置と背景層が具現するシーンの予め設定された位置が対応されて、アイコンと背景層が具現するシーンとがお互いにマッチングするようにする。
【００５６】
Ｓ４０２：移動端末のスクリーンで発生したタッチイベントを検出して、当該タッチイベントに対応する操作コマンドを判断する。
【００５７】
ここで、タッチイベントは、タッチポイントのワンクリックイベント、ダブルクリックイベント、長押しイベント、スライドイベント及び自己定義のイベント等を含み、ワンクリックイベント（或いはダブルクリックイベント）に対応する操作コマンドは、起動コマンド（例えば、ショートカットに対するワンクリックを通じてＡＰＰを起動する）であってもよく、スライドイベントに対応する操作コマンドは、スライドコマンドであってもよい。
【００５８】
更に、長押しイベントは、具体的に、携帯電話のスクリーンでタッチポイントを検出し、且つタッチポイントが移動せず、タッチ時間が予め設定された時間に達した場合、長押しイベントと判断する。
【００５９】
起動コマンドは、具体的に、デスクトップシステムのコンテンツ層にワンクリックイベントが発生するとワンクリックイベントの発生領域を判断し、タッチイベントがコンテンツ層に配置されたユニットのアイコン領域で発生した場合、或いはアイコン領域との距離が予め設定された距離より小さい場合、当該ワンクリックイベントを、上記アイコン領域に対応するユニットに対する起動コマンドであると判断する。
【００６０】
Ｓ４０３：上記操作コマンドに基づいて、当該操作コマンドに対応する操作を実行する。
【００６１】
具体的には、本実施例において、背景層は、一つ或いは複数のスライド背景層を含む。
【００６２】
上記背景層に一つのスライド背景層が含まれる場合、本ステップ４０３において、具体的に、操作コマンドがスライドコマンドである場合、タッチイベントに対応するコンテンツ層と背景層をスライドコマンドが指示する方向に沿って予め設定された長さだけスライドさせ、上記コンテンツ層の予め設定された位置とスライド背景層が具現するシーンの予め設定された位置が対応関係を維持するようにする。
【００６３】
上記背景層に複数のスライド背景層が含まれる場合、本ステップ４０３において、具体的に、タッチイベントに対応するコンテンツ層をスライドコマンドが指示する方向に沿って予め設定された長さだけスライドさせ、且つ、スライド背景層をスライドコマンドが指示する方向に沿ってスライド背景層のレイヤに対応する予め設定された長さだけスライドさせる。
【００６４】
図４に示すデスクトップシステムにおいて現在スクリーンが第３のスクリーンを表示する場合を例として説明する。携帯電話のスクリーンにタッチイベントが発生したことが検出され、当該タッチイベントに対応する操作コマンドが左へのスライドコマンドであると判断された場合、コンテンツ層と近景背景層が左にスライドする予め設定された長さは、一つのスクリーンの幅であり、遠景背景層が左へスライドする長さは一つのスクリーンの幅より小さい。これによって、ユーザに視覚的な立体効果、及び近くから遠くへの効果を与えることができる。
【００６５】
更に、上記背景層は、静的背景層をさらに含んでもよく、背景層が静的背景層である場合、移動端末がスライドコマンドを受信しても、当該静的背景層はスライド操作を行わない。
【００６６】
更に、携帯電話に本発明にかかるコンテンツ層と背景層が表示される前に、設計者による背景層とコンテンツ層に対する編集プロセスを含んでもよい。具体的には、図１１に示すように以下のようなステップを含む。
【００６７】
Ｓ５０１：ユーザにより編集されたイメージを取得して背景層とする。
【００６８】
説明すべきなことは、背景層に二つ、或いは二つ以上の背景層が含まれる場合、本ステップは、具体的に、ユーザにより編集され、且つ少なくとも二つのレイヤを有するイメージ、及びユーザにより設定されたイメージのレイヤと背景層のレイヤとの対応関係を取得して背景層とするステップを含む。
【００６９】
ここで、設計者は、イメージ編集ツールを通じて背景層を編集してもよい。背景層としてのイメージは複数のレイヤを含み、設計者は、イメージを背景層に設定するとき、イメージのレイヤと背景層のレイヤとの対応関係も設定する必要がある。
【００７０】
例えば、図４に示すデスクトップシステムにおける背景層は、近景背景層と遠景背景層で構成され、遠景レイヤ１０１と近景レイヤで構成される。ここで、近景レイヤは、左クロージェット２０１、右クロージェット２０２、壁２０３、窓２０４、及びテーブル２０５を含み、遠景レイヤ１０１、近景レイヤにおける左クロージェット２０１、右クロージェット２０２、壁２０３、窓２０４、及びテーブル２０５が１つの静的イメージを構成して背景層になる。且つ、遠景レイヤ１０１を遠景背景層に設定し、左クロージェット２０１、右クロージェット２０２、壁２０３、窓２０４、及びテーブル２０５により近景レイヤを構成して近景背景層に設定する。
【００７１】
Ｓ５０２：ユーザとインタラクションするためのユニットに対応するアイコン、及びユーザにより設定されたアイコンの予め設定された頂点のコンテンツ層における位置、アイコンに対応する起動属性を取得してコンテンツ層を得る。
【００７２】
説明すべきなことは、設計者は、コンテンツ層におけるアイコンの編集を完成した後、アイコンの起動属性も設定するべきである。当該起動属性は、アイコンに対応するユニットの名称、或いは起動経路を含む。
【００７３】
例えば、アイコンに対応するのが一つのウェブサイトのショートカットアクセス方式である場合、当該アイコンに対応するウェブサイトのアドレスを定義する必要があり、アイコンに対応するのが一つのＡＰＰのショートカットである場合、当該アイコンに対応するＡＰＰの名称を定義する必要がある。
【００７４】
Ｓ５０３：予め設定されたフォーマットで、背景層とコンテンツ層を第１のファイルとして保存する。
【００７５】
説明すべきなことは、設計者が背景層とコンテンツ層の編集を完成した後、予め設定されたフォーマットで、編集後の背景層とコンテンツ層を第１のファイルとして保存し、第１のファイルを複数の携帯電話にダウンロードして各携帯電話で本発明にかかるデスクトップシステムをサポートできるようにしてもよい。
【００７６】
更に、ステップＳ４０１の前に、移動端末が第１のファイルを取得するステップを含むべきである。
【００７７】
対応的に、ステップＳ４０１は、具体的に以下のようなステップを含む。
上記予め設定されたフォーマットに応じて上記第１のファイルを解釈して上記コンテンツ層と背景層を取得し、上記コンテンツ層と背景層を表示する。
【００７８】
更に、ステップＳ４０１の後、本発明は、ユーザがデスクトップシーンを編集するステップを含む。具体的には、以下のステップを含む。
ユーザからの表示されているユニットに対する編集コマンドを検出すると、移動端末のスクリーンの予め設定された位置に候補ユニットを表示する。
ユーザは候補ユニットを選択して、候補ユニットをコンテンツ層における上記表示されているユニットに対応する位置に設置する。
【００７９】
説明すべきなことは、デスクトップシーンにおける上記ユニットに対する編集は、コンテンツ層に配置されるユニットのアイコンサイズが同一である状況が好ましい。
【００８０】
図１２は、「アングリーバーズ」をデスクトップとする背景層を示し、図１３は、図１２に基づいて得られたデスクトップシステムである。図１３に示すようなデスクトップシステムにおいて、「アングリーバーズ」における各種要素（例えば、鳥、豚）等のイメージをユニットのアイコンとしてコンテンツ層に設置し、コンテンツ層におけるアイコンの位置と図１２に示される背景層における位置とが対応するようにする。
【００８１】
以下、例を挙げて、ユーザがデスクトップシーンを編集する方法を説明すると、以下のようなステップを含む。
【００８２】
ステップＡ：ユーザからの携帯電話のスクリーン上に表示されているユニットに対する編集コマンドを検出したか否かを判断する。検出した場合、ステップＢを実行し、検出できなかった場合、本ステップＡを繰り返して実行する。
【００８３】
具体的には、予め設定された操作イベントと携帯電話のスクリーン上に表示されているユニットに対する編集コマンドとを対応付けて設定する。即ち、予め設定された操作イベントがトリガーされると、ユーザから携帯電話のスクリーン上の表示されているユニットに対する編集コマンドが発されたと確定する。
【００８４】
ここで、上記予め設定された操作イベントは、具体的に、スクリーン上で一つ或いは複数のタッチポイントがタッチされるイベント、スクリーンの上の一つ或いは複数のタッチポイントが予め設定された軌跡に沿ってスライドするイベント、或いは、予め設定されたキーがトリガーされるイベントと含む。
【００８５】
本実施例において、図１４を例とすると、予め設定された操作イベントは、具体的には、二つのタッチポイント（第１のタッチポイントと第２のタッチポイント）がスクリーン上で互いに対向する方向に沿ってスライドするスライドイベントである。
【００８６】
ステップＢ：候補ユニットを表示する。
【００８７】
ここで、候補ユニットは、現在デスクトップに存在しないユニットであり、候補ユニットのアイコンサイズは、交替しようとするユニットのアイコンサイズと同一である。
【００８８】
ステップＣ：ユーザが選択した表示されているユニットを隠し、選択した候補ユニットを上記ユーザが選択した表示されているユニットのコンテンツ層における位置に設置する。
【００８９】
具体的には、本ステップＣは、少なくとも以下のような実施形態を含む。
ユーザが交替しようとするユニットに対応する位置をタッチすると、上記タッチした交替しようとするユニットを、ユーザが選択した表示されているユニットとし、使用しようとする候補ユニットをさらにクリックすると、使用しようとする候補ユニットでユーザが選択した表示されているユニットのコンテンツ層における位置を交替する。
【００９０】
或いは、ユーザが使用しようとする候補ユニットを交替しようとするユニットに対応する位置にドラッグ・アンド・ドロップして、使用しようとする候補ユニットでユーザが選択した表示されているユニットのコンテンツ層における位置を交替するプロセスを完成する。
【００９１】
また、本発明の実施例は、移動端末のインタフェースインタラクション装置を提供し、図１５に示すように、当該装置は、
コンテンツ層と背景層を表示するための表示モジュール６０１と、
移動端末のスクリーンで発生したタッチイベントを検出し、タッチイベントに対応する操作コマンドを判断するためのコマンド取得モジュール６０２と、
操作コマンドに基づいて、当該操作コマンドに対応する操作を実行する実行モジュール６０３とを含む。
【００９２】
ここで、背景層は、当該背景層に対応するコンテンツ層の下方に位置し、シーンを具現してデスクトップ背景にする。
コンテンツ層は、当該コンテンツ層に対応する背景層の上方に位置し、当該コンテンツ層には、ユーザとインタラクションするためのユニットが配置され、上記ユニットに対応するアイコンの予め設定された頂点がコンテンツ層の予め設定された位置に設置されている。且つ、コンテンツ層の予め設定された位置と背景層の具現するシーンの予め設定された位置が対応されて、アイコンと背景層の具現するシーンとがマッチングするようにする。
【００９３】
更に、上記背景層には一つのスライド背景層が含まれ、実行モジュール６０３は、具体的に、上記操作コマンドがスライドコマンドである場合、タッチイベントに対応するコンテンツ層とスライド背景層をスライドコマンドが指示する方向に沿って予め設定された長さだけスライドさせ、これによって、コンテンツ層の予め設定された位置とスライド背景層の具現するシーンの予め設定された位置とが対応するようにする。
【００９４】
更に、上記背景層には複数のスライド背景層が含まれ、実行モジュール６０３は、具体的に、タッチイベントに対応するコンテンツ層をスライドコマンドが指示する方向に沿って予め設定された長さだけスライドさせ、且つスライド背景層をスライドコマンドが指示する方向に沿って当該スライド背景層のレイヤに対応する予め設定された長さだけスライドさせる。
【００９５】
更に、図１６に示すように、上記装置は、表示モジュール６０１によりコンテンツ層と背景層を表示する前に、ユーザにより編集されたイメージを取得して背景層とする背景層編集モジュール６０４と、
ユーザとインタラクションするためのユニットに対応するアイコン、及びユーザにより設定されたアイコンの予め設定された頂点のコンテンツ層における位置、アイコンに対応する起動属性を取得してコンテンツ層を取得するコンテンツ層編集モジュール６０５と、
背景層とコンテンツ層を、予め設定されたフォーマットによって第１のファイルとして保存する保存モジュール６０６とを含む。
【００９６】
ここで、起動属性は、アイコンに対応するユニットの名称、或いは起動経路を含む。
【００９７】
更に、上記背景層が複数のスライド背景層を含む場合、背景層編集モジュール６０５は、具体的に、表示モジュール６０１によりコンテンツ層と背景層が表示される前に、ユーザにより編集され、少なくとも二つのレイヤを含むイメージ、及びユーザにより設定されたイメージのレイヤとスライド背景層のレイヤとの対応関係を取得して背景層とする。
【００９８】
更に、図１７に示すように、上記装置は、表示モジュールによりコンテンツ層と背景層が表示される前に、第１のファイルを取得する取得モジュール６０７をさらに含む。
【００９９】
更に、図１８に示すように、表示モジュール６０１は、具体的に、
予め設定されたフォーマットによって第１のファイルを解釈して、コンテンツ層と背景層を取得する解釈手段６０１１と、
コンテンツ層と背景層を表示する表示手段６０１２とを含む。
【０１００】
更に、図１９に示すように、上記装置は、
表示モジュール６０１によりコンテンツ層と背景層が表示された後、ユーザからのユニットに対する編集コマンドを検出すると、移動端末のスクリーンの予め設定された位置に候補ユニットを表示する検出モジュール６０８と、
ユーザが上記候補ユニットを選択すると、候補ユニットをコンテンツ層における上記ユニットに対応する位置に設置する編集モジュール６０９とを含む。
【０１０１】
また、本発明は、不揮発性メモリを提供し、当該不揮発性メモリは、一つ或は複数の手段を含み、上記一つ或は複数の手段は、タッチスクリーン、プロセッサ、メモリとインタラクションして、デバイスに以下の機能を発揮させる。
コンテンツ層と背景層を表示する。
移動端末のスクリーンで発生したタッチイベントを検出し、タッチイベントに対応する操作コマンドを判断する。
操作コマンドに基づいて、当該操作コマンドに対応する操作を実行する。
【０１０２】
ここで、背景層は、当該背景層に対応するコンテンツ層の下方に位置し、シーンを具現してデスクトップ背景にする。
コンテンツ層は、当該コンテンツ層に対応する背景層の上方に位置し、当該コンテンツ層には、ユーザとインタラクションするためのユニットが配置され、上記ユニットに対応するアイコンの予め設定された頂点がコンテンツ層の予め設定された位置に設置されている。且つ、コンテンツ層の予め設定された位置と背景層の具現するシーンの予め設定された位置とが対応されて、アイコンと背景層の具現するシーンとがマッチングするようにする。
【０１０３】
上記背景層に一つのスライド背景層が含まれる場合、操作コマンドに基づいて、当該操作コマンドに対応する操作を実行することは、具体的に、上記操作コマンドがスライドコマンドである場合、タッチイベントに対応するコンテンツ層とスライド背景層をスライドコマンドが指示する方向に沿って予め設定された長さだけスライドさせ、これによって、コンテンツ層の予め設定された位置とスライド背景層の具現するシーンの予め設定された位置とが対応するようにすることを含んでもよい。
【０１０４】
上記背景層に複数のスライド背景層が含まれる場合、操作コマンドに基づいて当該操作コマンドに対応する操作を実行することは、具体的に、タッチイベントに対応するコンテンツ層をスライドコマンドが指示する方向に沿って予め設定された長さだけスライドさせ、且つスライド背景層をスライドコマンドが指示する方向に沿って当該スライド背景層のレイヤに対応する予め設定された長さだけスライドさせることを含む。
【０１０５】
更に、上記一つ或いは複数の手段は、デバイスに以下のような機能をさらに発揮させる。
コンテンツ層と背景層が表示される前に、ユーザにより編集されたイメージを取得して背景層とする。
ユーザとインタラクションするためのユニットに対応するアイコン、及びユーザにより設定されたアイコンの予め設定された頂点のコンテンツ層における位置、及びアイコンに対応する起動属性を取得してコンテンツ層を取得する。
背景層とコンテンツ層を、予め設定されたフォーマットによって第１のファイルとして保存する。
【０１０６】
ここで、起動属性は、アイコンに対応するユニットの名称、或いは起動経路を含む。
【０１０７】
更に、上記一つ或いは複数の手段は、デバイスに以下のような機能をさらに発揮させる。
コンテンツ層と背景層が表示される前に、ユーザにより編集され、少なくとも二つのレイヤを含むイメージ、及びユーザにより設定されたイメージのレイヤとスライド背景層のレイヤとの対応関係を取得して背景層とする。
【０１０８】
更に、上記一つ或いは複数の手段は、デバイスに以下のような機能をさらに発揮させる。
コンテンツ層と背景層が表示される前に、第１のファイルを取得する。
【０１０９】
更に、コンテンツ層と背景層を表示することは、具体的に、
予め設定されたフォーマットによって第１のファイルを解釈して、コンテンツ層と背景層を取得することと、
コンテンツ層と背景層を表示することとを含む。
【０１１０】
更に、上記一つ或いは複数の手段は、デバイスに以下のような機能をさらに発揮させる。
コンテンツ層と背景層が表示された後、ユーザからのユニットに対する編集コマンドを検出すると、移動端末のスクリーンの予め設定された位置に候補ユニットを表示し、
ユーザが上記候補ユニットを選択した後、候補ユニットをコンテンツ層における上記ユニットに対応する位置に設置する。
【０１１１】
本発明の実施例において、移動端末のデスクトップシステム、インタフェースインタラクション方法、及び装置によると、本発明に係るデスクトップシステムは、コンテンツ層と背景層を含み、設計者は、ユニットの形を限定する必要がなく、コンテンツ層におけるユニットに対応するアイコンの予め設定された頂点をコンテンツ層の予め設定された位置に設置すればよいので、設計者にもっと大きいデザインの権限を付与する。ユニットのコンテンツ層における予め設定された位置とスライド背景層が具現するシーンの予め設定された位置とが対応するようにすることで、設計者がユニットのアイコンと背景層の具現するシーンとをマッチングさせて、リアル的なシーンの視覚的効果を招来し、デスクトップインタフェースの様式を多様化し、美観を向上させ、ユーザの使用体験を向上させる。
【０１１２】
当業者は、実施方式に対する上記説明を通じて、本発明の実施例がハードウェアで実現されてもよく、ソフトウェアと必要な汎用ハードプウェアの組み合わせで実現されてもよいことがわかる。このような理解に基づいて、本発明の実施例の技術案は、ソフトウェア製品の形で具現でき、当該ソフトウェア製品は、不揮発性メモリ（ＣＤ−ＲＯＭ、ＵＳＢメモリ、モバイルハードディスクなど）に記録でき、いくつかのコマンドを含んで、コンピュータ（パーソナルコンピュータ、サーバ、或いはネットワークデバイスなど）に、本発明の各実施例で説明した方法を実行させてもよい。
【０１１３】
当業者は、図面が単なる好ましい実施例の模式図であり、図面におけるモジュール、或いはフローが本発明に必ずしも必要なものではないことが理解できる。
【０１１４】
当業者は、実施例におけるモジュールが他の実施例の装置に含まれてもよく、これに応じて、本実施例の別の一つ或いは複数の装置に含まれるように変更できることが理解できる。上記実施例におけるモジュールは一つのモジュールに合併されてもよく、更に、一つ或いは複数のサブモジュールに分けられてもよい。
【０１１５】
上記本発明の実施例の順番は、説明のためであり、実施例の優劣を代表しない。
【０１１６】
本発明は、上記の記述、及び図示された具体的な構成に限定されず、その範囲を逸脱しない状況で、様々な修正と変更が可能である、ことを理解すべきである。したがって、このような修正及び変更が本願のクレームの範囲に含まれる場合、本願は、このような修正及び変更を包含することを意図している。
【０１１７】
本願は、出願番号が２０１２１０２８９６５５．６であって、出願日が２０１２年８月１４日である中国特許出願に基づき優先権を主張し、当該中国特許出願の全ての内容を本願に援用する。
【図１】
0006010691.tif 000002
【図２】
0006010691.tif 000003
【図３】
0006010691.tif 000004
【図４】
0006010691.tif 000005
【図５】
0006010691.tif 000006
【図６】
0006010691.tif 000007
【図７】
0006010691.tif 000008
【図８】
0006010691.tif 000009
【図９】
0006010691.tif 000010
【図１０】
0006010691.tif 000011
【図１１】
0006010691.tif 000012
【図１２】
0006010691.tif 000013
【図１３】
0006010691.tif 000014
【図１４】
0006010691.tif 000015
【図１５】
0006010691.tif 000016
【図１６】
0006010691.tif 000017
【図１７】
0006010691.tif 000018
【図１８】
0006010691.tif 000019
【図１９】
0006010691.tif 000020